(57)【要約】      （修正有）【課題】故障に強く且つ、左右方向にコンパクトな鍵盤装置を提供する。【解決手段】白鍵ＷＫ−Ｃ、ＷＫ−Ｅは、黒鍵ＢＫ−Ｃ＃、ＢＫ−Ｄ＃の前端位置４６よりも前方にある幅広部３１と、幅広部３１よりも後方にあって幅広部３１より横幅の狭い幅狭部３２とを有し、幅狭部３２の後端位置３６は、黒鍵ＢＫ−Ｃ＃、ＢＫ−Ｄ＃の後端位置４２よりも前端位置４６に近く、幅狭部３２は前後方向に短い。一方、白鍵ＷＫ−Ｄは、幅広部３１のみを有する。【選択図】図３
2016151699.tif 000002
【特許請求の範囲】
【請求項１】
前後方向を長手方向として配設されるそれぞれ複数の白鍵及び黒鍵から成る鍵盤部と、前記鍵盤部が配設される筐体とを有する鍵盤装置であって、
複数の前記黒鍵の前端位置は共通であり、
音高Ｃ、Ｅ、Ｆ、Ｂの前記白鍵は、前記黒鍵の前端位置よりも前方にある幅広部と、前記幅広部よりも後方にあって前記幅広部よりも幅の狭い幅狭部とを有し、前記幅狭部の後端位置は、前後方向において前記黒鍵の後端位置よりも前端位置に近く、
音高Ｄ、Ｇ、Ａの前記白鍵は、前記黒鍵の前端位置よりも前方にある幅広部を有し且つ、前記黒鍵の前端位置よりも後方の領域を有しないことを特徴とする鍵盤装置。
【請求項２】
前記白鍵の上端位置及び前記黒鍵の上端位置はいずれも、前記筐体の上端位置と面一かまたは前記筐体の上端位置から突出していないことを特徴とする請求項１記載の鍵盤装置。
【請求項３】
前記筐体は底板部を有し、前記白鍵の前小口の下端は、非操作状態においては前記底板部の前端の上端位置よりも高く、押鍵終了時には前記底板部の前端の上端位置よりも低くなることを特徴とする請求項１または２記載の鍵盤装置。
【請求項４】
非操作状態において、前記白鍵の上面は前記黒鍵の上面と略面一であることを特徴とする請求項１〜３のいずれか１項に記載の鍵盤装置。
【請求項５】
前記筐体における、前記各白鍵の後方で且つ前記黒鍵に隣接する領域には、非操作状態における前記白鍵の上面及び前記黒鍵の上面のいずれよりも低い段差部が設けられることを特徴とする請求項１〜４のいずれか１項に記載の鍵盤装置。
【請求項６】
押鍵終了時における前記白鍵の上面及び前記黒鍵の上面はいずれも、前記段差部の上面と略面一であることを特徴とする請求項５記載の鍵盤装置。
【発明の詳細な説明】
【技術分野】
【０００１】
本発明は、複数の白鍵及び黒鍵から成る鍵盤部を有する鍵盤装置に関する。
【背景技術】
【０００２】
従来、一般的な鍵盤装置は、複数の白鍵及び黒鍵で１２音音階が構成される（例えば、下記特許文献１）。この種の装置では通常、白鍵は、奏者側である前側は横幅の広い幅広部で、黒鍵に隣接する後半部は横幅の狭い幅狭部となっている。白鍵には、隣接する黒鍵を片側にのみ有する音高Ｃ、Ｅ、Ｆ、Ｂの白鍵と、隣接する黒鍵を両側に有する音高Ｄ、Ｇ、Ａの白鍵とがある。
【０００３】
ここで、鍵盤装置を小型化することを考える。主として左右方向においてコンパクトにするには、各鍵の幅も小さめに設計することが通常考えられる。しかし、鍵幅を小さくしていくと幅狭部が著しく細くなり、剛性が低くなって演奏時に故障しやすくなる。また、鍵盤全体の小型化には、上下方向における小型化の工夫も必要とされる。
【先行技術文献】
【特許文献】
【０００４】
【特許文献１】特許第３０８２６９６号公報
【特許文献２】特開平１１−２４９６４９号公報
【発明の概要】
【発明が解決しようとする課題】
【０００５】
ところで、楽器ではなく、パーソナルコンピュータ用のキーボード等においては、白鍵の音高と黒鍵の音高とを前後それぞれ一列のキーに割り当て、コンパクトで擬似的な鍵盤として演奏入力できる構成が知られている（上記特許文献２）。しかし、この種のキーボードでは、演奏操作は非常に行いにくい。従って、楽器に適用される鍵盤装置においては特に、演奏操作のしやすさの確保も重要な項目となる。
【０００６】
本発明は上記従来技術の問題を解決するためになされたものであり、その目的は、故障に強く且つ、左右方向にコンパクトにすることができる鍵盤装置を提供することにある。
【課題を解決するための手段】
【０００７】
上記目的を達成するために本発明の請求項１の鍵盤装置は、前後方向を長手方向として配設されるそれぞれ複数の白鍵及び黒鍵から成る鍵盤部（ＫＢ）と、前記鍵盤部が配設される筐体（１０）とを有する鍵盤装置であって、複数の前記黒鍵の前端位置（４６）は共通であり、音高Ｃ、Ｅ、Ｆ、Ｂの前記白鍵は、前記黒鍵の前端位置よりも前方にある幅広部（３１）と、前記幅広部よりも後方にあって前記幅広部よりも幅の狭い幅狭部（３２）とを有し、前記幅狭部の後端位置（３６）は、前後方向において前記黒鍵の後端位置（４２）よりも前端位置に近く、音高Ｄ、Ｇ、Ａの前記白鍵は、前記黒鍵の前端位置よりも前方にある幅広部を有し且つ、前記黒鍵の前端位置よりも後方の領域を有しないことを特徴とする。
【０００８】
好ましくは、前記白鍵の上端位置（ＷＫａ）及び前記黒鍵の上端位置（ＢＫａ）はいずれも、前記筐体の上端位置（１３ａ、１４ａ、１５ａ）と面一かまたは前記筐体の上端位置から突出していない（請求項２）。好ましくは、前記筐体は底板部（１１）を有し、前記白鍵の前小口（３７）の下端（３７ａ）は、非操作状態においては前記底板部の前端（１１ｂ）の上端位置（１１ａ）よりも高く、押鍵終了時には前記底板部の前端の上端位置よりも低くなる（請求項３）。
【０００９】
好ましくは、非操作状態において、前記白鍵の上面（ＷＫａ）は前記黒鍵の上面（ＢＫａ）と略面一である（請求項４）。好ましくは、前記筐体における、前記各白鍵の後方で且つ前記黒鍵に隣接する領域には、非操作状態における前記白鍵の上面及び前記黒鍵の上面のいずれよりも低い段差部（２０、２１）が設けられる（請求項５）。好ましくは、押鍵終了時における前記白鍵の上面及び前記黒鍵の上面はいずれも、前記段差部の上面（２０ａ、２１ａ）と略面一である（請求項６）。
【００１０】
なお、上記括弧内の符号は例示である。
【発明の効果】
【００１１】
本発明の請求項１によれば、故障に強く且つ、左右方向にコンパクトにすることができる。
【００１２】
請求項２によれば、上下方向にコンパクトにすると共に、天地を逆にしても鍵が保護される。請求項３によれば、鍵の配置を低く設定できるので、上下方向にコンパクトにすることができる。請求項４、５によれば、演奏操作が行いやすい。請求項６によれば、グリッサンド等の演奏操作が行いやすい。
【図面の簡単な説明】
【００１３】
【図１】本発明の一実施の形態に係る鍵盤装置の斜視図（図（ａ））、正面図（図（ｂ））である。
【図２】電子鍵盤楽器の平面図である。
【図３】電子鍵盤楽器の内部の一部を示す斜視図（図（ａ））、一部の白鍵及び黒鍵の配置関係を示す平面図（図（ｂ））である。
【図４】音高Ｅ、音高Ｄの白鍵、音高Ｄ＃の黒鍵の下方から見た斜視図である。
【図５】図２のＡ−Ａ線に沿う断面図である。
【発明を実施するための形態】
【００１４】
以下、本発明の実施の形態を図面を参照して説明する。
【００１５】
図１（ａ）、（ｂ）は、本発明の一実施の形態に係る鍵盤装置の斜視図、正面図である。この鍵盤装置は、電子鍵盤楽器１００として構成される。
【００１６】
電子鍵盤楽器１００には、複数の鍵（白鍵ＷＫ及び黒鍵ＢＫ）を備える鍵盤部ＫＢが配設される。なお、電子鍵盤楽器１００でいう白鍵、黒鍵という呼称は、一般的な鍵盤楽器における白鍵と黒鍵に倣ったものであり、それらの色は白色、黒色であることは必須でなく、白鍵ＷＫ及び黒鍵ＢＫはあくまで相対的な配置位置によって区別される。以降、鍵の長手方向を前後方向とし、鍵の並び方向を左右方向とする。以下、白鍵ＷＫや黒鍵ＢＫにつき、特定の音高のものを区別して呼称するときは、白鍵ＷＫ−Ｃや黒鍵ＢＫ−Ｃ＃のように符号に音高を付け足す。
【００１７】
鍵盤部ＫＢの左側（電子鍵盤楽器１００の左端部）の領域は上カバー１３によって覆われる。鍵盤部ＫＢを収容する電子鍵盤楽器１００の筐体１０は、主に底板部１１、鍵フレーム１２（後壁１５を含む）、及び側壁１４から構成される。側壁１４、後壁１５はそれぞれ、電子鍵盤楽器１００の右端部、後端部を構成する。底板部１１は、床面に対して対面する略板状の部材である。底板部１１は、上カバー１３と対向する領域まで延在する。
【００１８】
鍵盤部ＫＢは、白鍵ＷＫ及び黒鍵ＢＫの各々が上面を水平に保ったまま押下方向（上下方向であり、押鍵面に垂直な方向）に対して略平行に運動するように構成された、いわゆる平行鍵盤として構成される。白鍵ＷＫの上面ＷＫａ及び黒鍵ＢＫの上面ＢＫａは面一であり、いずれも押鍵される面となる。しかも、電子鍵盤楽器１００が水平な床面に載置され且つ非操作状態において、上面ＷＫａ及び上面ＢＫａは略水平（床面に略平行）である。
【００１９】
黒鍵ＢＫの側方の部分は、下方に窪んだ段差部２０、２１となっている。図１（ａ）では、白鍵ＷＫ及び黒鍵ＢＫが非操作位置にある。白鍵ＷＫ及び黒鍵ＢＫが押鍵終了位置にあるときには、上面ＷＫａ及び上面ＢＫａは、段差部２０、２１の上面２０ａ、２１ａとほぼ面一になる。従って、グリッサンド演奏がやりやすい。
【００２０】
図２は、電子鍵盤楽器１００の平面図である。図３（ａ）は、電子鍵盤楽器１００の内部の一部を示す斜視図である。図３（ｂ）は、一部の白鍵ＷＫ及び黒鍵ＢＫの配置関係を示す平面図である。図２では、低音側の白鍵ＷＫ−Ｅ及び黒鍵ＢＫ−Ｄ＃を取り外し、図３（ａ）では、低音側の白鍵ＷＫ−Ｄ、ＷＫ−Ｅ及び黒鍵ＢＫ−Ｄ＃を取り外して示してある。
【００２１】
上カバー１３の下方において、底板部１１の上に配設された基板の上に、音源を含む制御部２２が実装される。各鍵とそれに対応する筐体１０等の各部分の構成は、特に言及しない限り各鍵間で共通する。図２、図３（ａ）に示すように、鍵フレーム１２の後部において、白鍵ＷＫや黒鍵ＢＫが配置されない領域には、上方に突出した段差部２０、２１が形成されており、段差部２０、２１の各上面２０ａ、２１ａが、非操作状態の白鍵ＷＫ、黒鍵ＢＫの各上面ＷＫａ、ＢＫａより低くなっている。音高Ｃ、Ｅ、Ｆ、Ｂの白鍵−Ｃ、Ｅ、Ｆ、Ｂの後方領域に位置するのが段差部２０で、音高Ｄ、Ｇ、Ａの白鍵−Ｄ、Ｇ、Ａの後方領域に位置するのが段差部２１である。段差部２１の横幅は段差部２０よりも狭い。
【００２２】
図２、図３（ａ）に示すように、鍵フレーム１２には、白鍵ＷＫに対応して円筒状のガイド部１６、１７が突出形成され、黒鍵ＢＫに対応してガイド部１８、１９が突出形成される。また、各白鍵ＷＫ及び各黒鍵ＢＫに対応して弾性膨出部４７が設けられ、各弾性膨出部４７が鍵フレーム１２の穴２３から鍵側へ露出している。
【００２３】
図４（ａ）、（ｂ）、（ｃ）は、それぞれ、音高Ｅの白鍵ＷＫ−Ｅ、音高Ｄの白鍵ＷＫ−Ｄ、音高Ｄ＃の黒鍵ＢＫ−Ｄ＃の下方から見た斜視図である。なお、音高Ｃ、Ｅ、Ｆ、Ｂの白鍵−Ｃ、Ｅ、Ｆ、Ｂの基本形状は共通し、音高Ｄ、Ｇ、Ａの白鍵−Ｄ、Ｇ、Ａは共通する。また、黒鍵ＢＫの基本形状は全黒鍵で共通している。
【００２４】
白鍵ＷＫ−Ｅ、ＷＫ−Ｄ（図４（ａ））にはいずれも、ガイド部１６、１７に係合する被ガイド部３４、３５が下方に垂下形成され、また、弾性膨出部４７を駆動するためのアクチュエータ３３が弾性膨出部４７に対応して垂下形成される。白鍵ＷＫ−Ｅ、ＷＫ−Ｄの前部には、前小口３７が形成される。黒鍵ＢＫ−Ｄ＃をはじめとする黒鍵ＢＫには、ガイド部１８、１９に係合する被ガイド部４４、４５が下方に垂下形成され、また、弾性膨出部４７を駆動するためのアクチュエータ４３が弾性膨出部４７に対応して垂下形成される。
【００２５】
各弾性膨出部４７は、対応する鍵に駆動されて該鍵に対して復帰力を与える。非操作状態において、弾性膨出部４７は少し潰れて非押鍵位置の方向へ鍵を付勢している。ガイド部１６、１７、１８、１９のガイド穴に被ガイド部３４、３５、４４、４５がそれぞれ摺動自在に挿入された状態で、各鍵は押離鍵方向にガイドされる。各鍵は図示しない平行可動維持リンク棒によって上下方向への変位が適切に規制される。弾性膨出部４７からの反力（付勢力）によって各鍵が非押鍵位置の方向へ付勢される。その際、被ガイド部３４、３５、４４、４５の先端に設けた係止部（図示せず）がガイド部１６、１７、１８、１９のガイド穴へ係止されることによって、各鍵の非押鍵位置が規制される。また、押鍵終了位置まで押下された鍵は、弾性膨出部４７からの反力によって非押鍵位置に復帰する。
【００２６】
なお、鍵フレーム１２の下面と底板部１１の上面との間に、３枚重ねのシート状スイッチＳＷが配設される（図５参照）。シート状スイッチＳＷは、可動接点を有する上シート、穴あきスペーサシート、及び、固定接点を有する下シートからなる。押鍵によって、上シートの弾性によりスペーサシートの穴を介して接点同士が当接し、メイクする。離鍵されると接点同士が離間し、オフとなる。
【００２７】
ガイド部１６、１７及び被ガイド部３４、３５による前後１組、ガイド部１８、１９及び被ガイド部４４、４５による前後１組によって、白鍵ＷＫ、黒鍵ＢＫが各々、押鍵面（上面ＷＫａ、ＢＫａ）が水平状態を保ったまま非押鍵位置と押鍵終了位置との間を変位する。
【００２８】
また、黒鍵ＢＫの左右の側壁下面には、逃げ部４１が切り欠いて形成されている（図４（ｃ））。これにより、押下操作時に、対応する弾性膨出部４７に対して黒鍵ＢＫの側壁が当接することを回避し、上下方向のコンパクト化を維持しつつ大きなサイズの弾性膨出部４７を配設可能になっている。あるいは、設計によっては、黒鍵ＢＫの幅を小さくするのに有利となる。
【００２９】
図３（ｂ）で、白鍵ＷＫ及び黒鍵ＢＫの形状と位置関係を説明する。まず、全ての黒鍵ＢＫの前端位置４６は共通である。白鍵ＷＫ−Ｃ、ＷＫ−Ｅはいずれも、黒鍵ＢＫの前端位置４６よりも前方にある横幅の広い幅広部３１と、幅広部３１よりも後方にあって幅広部３１よりも横幅の狭い幅狭部３２とを有する（図４（ａ）も参照）。幅狭部３２の後端位置３６は、前後方向において黒鍵ＢＫの配設範囲にあり、前後方向において黒鍵ＢＫの後端位置４２よりも前端位置４６に近い。
【００３０】
一方、白鍵ＷＫ−Ｄは、平面視で長方形に形成され、幅広部３１のみを有し、後端位置４２よりも後方の領域（幅狭部３２に相当する部分）を有しない（図４（ｂ）も参照）。白鍵ＷＫ−Ｆ、ＷＫ−Ｂは、それぞれ、白鍵ＷＫ−Ｃ、ＷＫ−Ｅと形状が共通する。白鍵ＷＫ−Ｇ、Ａはいずれも、白鍵ＷＫ−Ｄと形状が共通する。
【００３１】
なお、本実施の形態では、押鍵面と下端の外郭形状の平面視形状とが共通するので両者を区別しなかったが、両者が異なる場合は、白鍵ＷＫ及び黒鍵ＢＫの位置関係を考察する上で、押鍵面（上面ＷＫａ、ＢＫａ）の形状で考える。
【００３２】
図５は、図２のＡ−Ａ線に沿う断面図である。図１、図２、図５等に示されるように、筐体１０の上端位置には、上カバー１３の上面１３ａ、側壁１４の上面１４ａ、後壁１５の上面１５ａが該当し、これら上面１３ａ、１４ａ、１５ａは面一である。そして白鍵ＷＫの上端位置である上面ＷＫａ及び黒鍵ＢＫの上端位置である上面ＢＫａはいずれも、筐体１０の上端位置（上面１３ａ、１４ａ、１５ａ）とも面一である。これにより、筐体１０の厚みの範囲内に鍵を収め、電子鍵盤楽器１００が上下方向にコンパクトになる。それだけでなく、電子鍵盤楽器１００が逆さまに載置された場合であっても、床面から鍵が強い力を受けることがなく、鍵が保護される。なお、これらの観点からは、白鍵ＷＫ及び黒鍵ＢＫの上端位置が筐体１０の上端位置から突出しないように、上面ＷＫａ及び上面ＢＫａの位置をさらに低くしてもよい。
【００３３】
図５に示すように、左右方向における鍵の配設領域においては、底板部１１の前端１１ｂは、白鍵ＷＫの前小口３７の裏面３７ｂよりも後方に位置する。また、非操作状態において、前小口３７の下端３７ａは底板部１１の前端１１ｂの上端位置１１ａよりも上方に位置している。前小口３７は真っ直ぐ下方に垂下形成されており、しかも、白鍵ＷＫは上下方向に平行に変位する。従って、押離鍵の行程において、前小口３７が底板部１１の前端１１ｂに当接することなく白鍵ＷＫが変位可能である。
【００３４】
ここで、前小口３７の下端３７ａは、白鍵ＷＫの非操作状態においては底板部１１の前端１１ｂの上端位置１１ａよりも高く、押鍵終了時には上端位置１１ａよりも低くなる。押鍵終了時における下端３７ａの位置は２点鎖線で示されている。これにより、白鍵ＷＫの配置を低く設定できるので、楽器を上下方向にコンパクトにすることに寄与する。
【００３５】
シート状スイッチＳＷ（図３（ａ））は、可動接点と固定接点とを有するメイク型のスイッチであるが、２枚のシートから構成してもよい。スイッチ構造は問わず、いずれの構成を採用したとしても、対応する鍵によって押下駆動されると電気的にＯＮとなって、検出信号が出力されるとする。制御部２２（図２）は、ＣＰＵ、ＲＯＭ、ＲＡＭのほか、音源回路、効果回路等を備える（図示せず）。制御部２２は、出力された検出信号に基づき楽音信号を生成し、押下された鍵に対応した音高の楽音を出力することができる。
【００３６】
本実施の形態によれば、白鍵ＷＫ−Ｃ、Ｅ、Ｆ、Ｂは、黒鍵ＢＫの前端位置４６よりも前方にある幅広部３１と幅広部３１よりも後方の幅狭部３２とを有し、幅狭部３２の後端位置３６は、黒鍵ＢＫの後端位置４２よりも前端位置４６に近く、幅狭部３２は前後方向に短い。一方、白鍵ＷＫ−Ｄ、Ｇ、Ａは、幅広部３１のみを有する。これにより、鍵の横幅を小さめに設計したとしても、鍵の剛性を確保できる。すなわち、白鍵ＷＫ−Ｃ、Ｅ、Ｆ、Ｂについては、幅狭部３２が狭くなっても前後方向に短いので、幅狭部３２の剛性は大きく低下することはない。一方、白鍵ＷＫ−Ｄ、Ｇ、Ａについては幅狭部を有しないので、幅狭部の剛性低下を考慮する必要がない。よって、左右方向に小型化しても剛性低下による演奏時の故障が生じにくくなる。よって、電子鍵盤楽器１００を、故障に強く且つ、左右方向にコンパクトにすることができる。
【００３７】
ところで、従来一般の鍵盤装置においては、特に音高Ｃ＃、Ｄ＃、Ｆ＃、Ａ＃の黒鍵については、幅方向中心位置が、隣接する白鍵の隙間の中心位置からずれている。例えば、Ｃ＃鍵、Ｄ＃鍵の幅方向中心位置は、Ｃ鍵とＤ鍵との隙間の幅方向中心位置よりも低音側（左側）、Ｄ鍵とＥ鍵との隙間の幅方向中心位置よりも高音側（右側）に、それぞれシフトしている。これは、Ｄ鍵の幅狭部が細く成りすぎないようにするためである。
【００３８】
これに対し、本実施の形態では、Ｄ鍵（白鍵ＷＫ−Ｄ）については幅狭部を設けない構成とした。その結果、Ｃ＃鍵（黒鍵ＢＫ−Ｃ＃）の幅方向中心位置Ｐ１を、Ｃ鍵とＤ鍵との隙間の幅方向中心位置と略一致させると共に、Ｄ＃鍵（黒鍵ＢＫ−Ｄ＃）の幅方向中心位置Ｐ２を、Ｄ鍵とＥ鍵との隙間の幅方向中心位置に略一致させる設計が容易となっている（図３（ｂ）参照）。他の黒鍵ＢＫについても同様であり、いずれの黒鍵ＢＫも、その幅方向中心位置は、音高が隣り合わせとなる白鍵ＷＫ同士の隙間の中心位置と略一致している（図２も参照）。このような黒鍵ＢＫの配置を可能にする利点も本実施の形態にはある。
【００３９】
また、白鍵ＷＫ及び黒鍵ＢＫの上端位置（上面ＷＫａ、ＢＫａ）は筐体１０の上端位置（上面１３ａ、１４ａ、１５ａ）と面一であり、突出していないので、電子鍵盤楽器１００を上下方向にコンパクトにすると共に、天地を逆にしても鍵が保護される。さらに、前小口３７の下端３７ａは、白鍵ＷＫの非操作状態においては底板部１１の前端１１ｂの上端位置１１ａよりも高く、押鍵終了時には上端位置１１ａよりも低いので、鍵の配置を低く設定でき、電子鍵盤楽器１００を上下方向にコンパクトにすることができる。
【００４０】
また、非操作状態において、白鍵ＷＫの上面ＷＫａは黒鍵ＢＫの上面ＢＫａと略面一であるので、演奏操作が行いやすい。さらに、筐体１０における、各白鍵ＷＫの後方で且つ黒鍵ＢＫに隣接する領域には、非操作状態における白鍵ＷＫの上面ＷＫａ及び黒鍵ＢＫの上面ＢＫａのいずれよりも低い段差部２０、２１が設けられるので、演奏操作が行いやすい。しかも、押鍵終了時における白鍵ＷＫの上面ＷＫａ及び黒鍵ＢＫの上面ＢＫａはいずれも、段差部２０、２１の上面２０ａ、２１ａと略面一であるので、グリッサンド等の演奏操作が行いやすい。なお、幅広部３１を有する白鍵ＷＫについては、隣接する白鍵ＷＫとの交互の連打演奏がやりやすくなる。
【００４１】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００４２】
ＫＢ  鍵盤部、  １０  筐体、  １１  底板部、  １１ａ  上端位置、  １１ｂ  前端、  １３ａ、１４ａ、１５ａ  上面（上端位置）、  ２０、２１  段差部、  ２０ａ、２１ａ  上面、  ３１  幅広部、  ３２  幅狭部、  ３６  後端位置、  ＷＫａ、ＢＫａ  上面（上端位置）、  ３７  前小口、  ３７ａ  下端、  ４２  後端位置、  ４６  前端位置
【図１】
2016151699.tif 000003
【図２】
2016151699.tif 000004
【図３】
2016151699.tif 000005
【図４】
2016151699.tif 000006
【図５】
2016151699.tif 000007